(57)【特許請求の範囲】
【請求項１】
放射線画像である原画像から、異なる画像処理が施された異なる複数の画像を生成する画像処理装置であって、
前記原画像に対する１以上の処理操作を受け付けて、受け付けた処理操作に応じた第１画像処理を前記原画像に施して第１画像を生成する第１生成部と、
前記受け付けた処理操作の中から選択された引継処理を前記原画像に反映させてから前記第１画像処理と異なる第２画像処理を施して第２画像を生成する、または、原画像に対して前記第２画像処理を施してから前記引継処理を反映させて前記第２画像を生成する第２生成部と、
を備えた画像処理装置。
【請求項２】
放射線画像である原画像に第１画像解析処理を施すことにより、第１画像を生成する第１生成部と、
前記第１生成部で生成された前記第１画像に対する１以上の処理操作を受け付けて、受け付けた処理操作に応じた画像処理を前記第１画像に施す画像処理部と、
前記原画像に前記第１画像解析処理と異なる第２画像解析処理を施すことにより第２画像を生成し、前記処理操作の中から選択された引継処理を、引継先となる前記第２画像が生成される前の前記原画像または前記第２画像に反映させる第２生成部と、
を備えた画像処理装置。
【請求項３】
前記処理操作を引継処理とするか否かを設定する引継処理設定部を備え、
前記第２生成部は、前記引継処理設定部により設定された処理操作を引継処理として選択する、
請求項１または請求項２に記載の画像処理装置。
【請求項４】
前記引継処理を表示部に表示させる表示制御部を備え、
前記第２生成部は、前記表示制御部により前記表示部に表示された前記引継処理を表す情報に応じて行われた指示を受け付ける指示受付部を備え、前記指示受付部で受け付けた指示に応じた引継処理を引継先に反映させる、
請求項３に記載の画像処理装置。
【請求項５】
前記表示制御部は、前記処理操作のうち、前記第２生成部により引継処理として選択された処理操作のみを前記表示部に表示させる、
請求項４に記載の画像処理装置。
【請求項６】
前記表示制御部は、前記処理操作のうち、前記第２生成部により非選択された処理操作を引継処理として設定させる表示を前記表示部に表示させる、
請求項４に記載の画像処理装置。
【請求項７】
前記処理操作毎に処理操作が行われている操作時間、操作量、及び操作回数の少なくとも一つを検出する操作検出部を備え、
前記第２生成部は、前記操作検出部で検出された操作時間、操作量、及び操作回数の少なくとも一つが予め定められた閾値以上の処理操作を引継処理として選択する、
請求項１から請求項６のいずれか１項に記載の画像処理装置。
【請求項８】
前記操作検出部は、前記処理操作が複数種類有る場合は、検出された操作時間、操作量、及び操作回数の少なくとも一つを、種類毎に合算する、
請求項７に記載の画像処理装置。
【請求項９】
放射線画像である原画像を取得して、処理条件の異なる画像処理を施すことにより、第１画像及び第２画像を生成する生成部と、
前記生成部で生成された前記第１画像に対する処理操作を受け付けて、受け付けた処理操作に応じた画像処理を前記１つの画像に施す第１画像処理部と、
前記第１画像処理部で受け付けた処理操作の中から選択され、かつ前記第２画像に対して引き継ぐ引継処理を引継先となる前記第２画像に反映させる反映部と、
前記反映部により引継処理が反映された前記第２画像に対する処理操作を受け付けて、受け付けた処理操作に応じた第２画像処理を前記第２画像に施す第２画像処理部と、
を備えた画像処理装置。
【請求項１０】
放射線画像である原画像を取得して、処理条件の異なる画像処理を施すことにより、第１画像及び第２画像を生成する生成部と、
前記生成部で生成された前記第１画像に対する処理操作を受け付けて、受け付けた処理操作に応じた第１画像処理を前記第１画像に施す第１画像処理部と、
前記第２画像に対する処理操作を受け付けて、受け付けた処理操作に応じた第２画像処理を前記第２画像に施す第２画像処理部と、
前記第１画像処理部で受け付けた処理操作の中から選択され、かつ前記第２画像に対して引き継ぐ引継処理を前記第２画像処理部により前記第２画像処理が施された前記第２画像に反映させる反映部と、
を備えた画像処理装置。
【請求項１１】
放射線画像である原画像を取得して、第１画像解析処理を施すことにより、第１画像を生成する第１生成部と、
前記第１生成部で生成された前記第１画像に対する処理操作を受け付けて、受け付けた処理操作に応じた第１画像処理を前記第１画像に施す第１画像処理部と、
前記第１画像処理部で受け付けた処理操作の中から選択され、かつ前記原画像に対して引き継ぐ引継処理を前記原画像に反映させる反映部と、
前記反映部により引継処理が反映された前記原画像に対して、第２画像解析処理を施すことにより、第２画像を生成する第２生成部と、
前記第２画像に対する処理操作を受け付けて、受け付けた処理操作に応じた第２画像処理を前記第２画像に施す第２画像処理部と、
を備えた画像処理装置。
【請求項１２】
放射線画像である原画像を取得して、第１画像解析処理を施すことにより、第１画像を生成する第１生成部と、
前記第１生成部で生成された前記第１画像に対する処理操作を受け付けて、受け付けた処理操作に応じた第１画像処理を前記第１画像に施す第１画像処理部と、
第２画像に対する処理操作を受け付けて、受け付けた処理操作に応じた第２画像処理を前記原画像に施す第２画像処理部と、
前記第１画像処理部で受け付けた処理操作から、前記原画像に対して引き継ぐ引継処理を選択し、選択した引継処理を前記第２画像処理部により前記第２画像処理が施された前記原画像に反映させる反映部と、
前記反映部により引継処理が反映された前記原画像に対して、第２画像解析処理を施すことにより、前記第２画像を生成する第２生成部と、
を備えた画像処理装置。
【請求項１３】
放射線画像である原画像を取得して、第１画像処理を施すことにより、第１画像を生成する第１生成部と、
前記第１生成部で生成された前記第１画像に対する処理操作を受け付けて、受け付けた処理操作に応じた第１画像処理を前記第１画像に施す第１画像処理部と、
第２画像に対する処理操作を受け付けて、受け付けた処理操作に応じた第２画像処理を前記原画像に施す第２画像処理部と、
前記第２画像処理部により前記第２画像処理が施された前記原画像に対して、第２画像解析処理を施すことにより、前記第２画像を生成する第２生成部と、
前記第１画像処理部で受け付けた処理操作から、前記第２画像に対して引き継ぐ引継処理を選択し、選択した引継処理を前記第２生成部により生成された前記第２画像に反映させる反映部と、
を備えた画像処理装置。
【請求項１４】
前記請求項１から前記請求項１３のいずれか１項に記載の画像処理装置と、
前記画像処理装置により画像処理が施された画像を表示する表示部と、
前記画像処理装置に対して処理操作を行う操作部と、
を備えた画像処理システム。
【請求項１５】
前記請求項１から前記請求項１３のいずれか１項に記載の画像処理装置の各部としてコンピュータを機能させるための画像処理プログラム。
【請求項１６】
放射線画像である原画像から、異なる画像処理が施された異なる複数の画像を生成する画像処理装置の画像処理方法であって、
第１生成部により、前記原画像に対する１以上の処理操作を受け付けて、受け付けた処理操作に応じた第１画像処理を前記原画像に施して第１画像を生成し、
第２生成部により、前記処理操作の中から選択された引継処理を前記原画像に反映させてから前記第１画像処理と異なる第２画像処理を施して第２画像を生成する、または、原画像に対して前記第２画像処理を施してから前記引継処理を反映させて前記第２画像を生成する、
画像処理方法。
【請求項１７】
第１生成部により、放射線画像である原画像に第１画像解析処理を施すことにより、第１画像を生成し、
画像処理部により、前記第１生成部で生成された前記第１画像に対する１以上の処理操作を受け付けて、受け付けた処理操作に応じた画像処理を前記第１画像に施し、
第２生成部により、前記原画像に前記第１画像解析処理と異なる第２画像解析処理を施すことにより第２画像を生成し、前記処理操作の中から選択された引継処理を、引継先となる前記第２画像が生成される前の前記原画像または前記第２画像に反映させる、
画像処理方法。
【発明の詳細な説明】
【技術分野】
【０００１】
本発明は、画像処理装置、画像処理システム、画像処理プログラム、及び画像処理方法に係り、特に放射線画像の画像処理に用いられる画像処理装置、画像処理システム、画像処理プログラム、及び画像処理方法に関する。
【背景技術】
【０００２】
近年、放射線画像撮影装置により撮影された放射線画像を検査、診断、及び診察等に用いることが多くなり、放射線画像を読影する医師や技師等であるユーザの負荷が増加している。またユーザは、放射線画像に対して画像処理を行うのが一般的であるが、同様に画像処理の負荷が増加している。
【０００３】
画像処理の負荷を軽減するための技術として、例えば、特許文献１には、画像処理操作履歴を表示することにより、画像処理のやり直しを簡便に行うことができる画像処理履歴取得技術が記載されている。また例えば、特許文献２には、選択された画像に対して異なる画像処理条件を適用した画像を表示させることにより、読影効率を向上させる技術が記載されている。
【先行技術文献】
【特許文献】
【０００４】
【特許文献１】特開２００５−３０１４９２号公報
【特許文献２】特開２００６−２７１８００号公報
【発明の概要】
【発明が解決しようとする課題】
【０００５】
近年、１つの被写体（例えば被検体の撮影部位）に対して目的が異なる複数の放射線画像を撮影して取得することが行われている。複数の放射線画像に対してそれぞれ画像処理を施す場合、画像処理を施させるために、ユーザが行う処理操作の負荷がさらに増加する。しかしながら、特許文献１及び特許文献２に記載の技術では、目的が異なる複数の放射線画像に対する処理操作の負荷を低減させることは困難であった。
【０００６】
本発明は、上記問題点を解決するために成されたものであり、ユーザの処理操作の負荷を軽減させることができる、画像処理装置、画像処理システム、画像処理プログラム、及び画像処理方法を提供することを目的とする。
【課題を解決するための手段】
【０００７】
上記目的を達成するために、本発明の画像処理装置は、放射線画像である原画像から、異なる画像処理が施された異なる複数の画像を生成する画像処理装置であって、原画像に対する１以上の処理操作を受け付けて、受け付けた処理操作に応じた第１画像処理を原画像に施して第１画像を生成する第１生成部と、受け付けた処理操作の中から選択された引継処理を原画像に反映させてから第１画像処理と異なる第２画像処理を施して第２画像を生成する、または、原画像に対して第２画像処理を施してから引継処理を反映させて第２画像を生成する第２生成部と、を備える。
【０００８】
本発明の画像処理装置は、放射線画像である原画像に第１画像解析処理を施すことにより、第１画像を生成する第１生成部と、第１生成部で生成された第１画像に対する１以上の処理操作を受け付けて、受け付けた処理操作に応じた画像処理を第１画像に施す画像処理部と、原画像に第１画像解析処理と異なる第２画像解析処理を施すことにより第２画像を生成し、処理操作の中から選択された引継処理を、引継先となる第２画像が生成される前の原画像または第２画像に反映させる第２生成部と、を備える。
【０００９】
また、本発明の画像処理装置は、処理操作を引継処理とするか否かを設定する引継処理設定部を備え、第２生成部は、引継処理設定部により設定された処理操作を引継処理として選択してもよい。
【００１０】
また、本発明の画像処理装置は、引継処理を表示部に表示させる表示制御部を備え、第２生成部は、表示制御部により表示部に表示された引継処理を表す情報に応じて行われた指示を受け付ける指示受付部を備え、指示受付部で受け付けた指示に応じた引継処理を引継先に反映させてもよい。
【００１１】
また、本発明の画像処理装置は、表示制御部は、処理操作のうち、第２生成部により引継処理として選択された処理操作のみを表示部に表示させてもよい。
【００１２】
また、本発明の画像処理装置は、表示制御部は、処理操作のうち、第２生成部により非選択された処理操作を引継処理として設定させる表示を表示部に表示させてもよい。
【００１３】
また、本発明の画像処理装置は、処理操作毎に処理操作が行われている操作時間、操作量、及び操作回数の少なくとも一つを検出する操作検出部を備え、第２生成部は、操作検出部で検出された操作時間、操作量、及び操作回数の少なくとも一つが予め定められた閾値以上の処理操作を引継処理として選択してもよい。
【００１４】
また、本発明の画像処理装置は、操作検出部は、処理操作が複数種類有る場合は、検出された操作時間、操作量、及び操作回数の少なくとも一つを、種類毎に合算してもよい。
【００１５】
本発明の画像処理装置は、放射線画像である原画像を取得して、処理条件の異なる画像処理を施すことにより、第１画像及び第２画像を生成する生成部と、生成部で生成された第１画像に対する処理操作を受け付けて、受け付けた処理操作に応じた画像処理を１つの画像に施す第１画像処理部と、第１画像処理部で受け付けた処理操作の中から選択され、かつ第２画像に対して引き継ぐ引継処理を引継先となる第２画像に反映させる反映部と、反映部により引継処理が反映された第２画像に対する処理操作を受け付けて、受け付けた処理操作に応じた第２画像処理を第２画像に施す第２画像処理部と、を備える。
【００１６】
本発明の画像処理装置は、放射線画像である原画像を取得して、処理条件の異なる画像処理を施すことにより、第１画像及び第２画像を生成する生成部と、生成部で生成された第１画像に対する処理操作を受け付けて、受け付けた処理操作に応じた第１画像処理を第１画像に施す第１画像処理部と、第２画像に対する処理操作を受け付けて、受け付けた処理操作に応じた第２画像処理を第２画像に施す第２画像処理部と、第１画像処理部で受け付けた処理操作の中から選択され、かつ第２画像に対して引き継ぐ引継処理を第２画像処理部により第２画像処理が施された第２画像に反映させる反映部と、備える。
【００１７】
本発明の画像処理装置は、放射線画像である原画像を取得して、第１画像解析処理を施すことにより、第１画像を生成する第１生成部と、第１生成部で生成された第１画像に対する処理操作を受け付けて、受け付けた処理操作に応じた第１画像処理を第１画像に施す第１画像処理部と、第１画像処理部で受け付けた処理操作の中から選択され、かつ原画像に対して引き継ぐ引継処理を原画像に反映させる反映部と、反映部により引継処理が反映された原画像に対して、第２画像解析処理を施すことにより、第２画像を生成する第２生成部と、第２画像に対する処理操作を受け付けて、受け付けた処理操作に応じた第２画像処理を第２画像に施す第２画像処理部と、を備える。
【００１８】
本発明の画像処理装置は、放射線画像である原画像を取得して、第１画像解析処理を施すことにより、第１画像を生成する第１生成部と、第１生成部で生成された第１画像に対する処理操作を受け付けて、受け付けた処理操作に応じた第１画像処理を第１画像に施す第１画像処理部と、第２画像に対する処理操作を受け付けて、受け付けた処理操作に応じた第２画像処理を原画像に施す第２画像処理部と、第１画像処理部で受け付けた処理操作から、原画像に対して引き継ぐ引継処理を選択し、選択した引継処理を第２画像処理部により第２画像処理が施された原画像に反映させる反映部と、反映部により引継処理が反映された原画像に対して、第２画像解析処理を施すことにより、第２画像を生成する第２生成部と、を備える。
【００１９】
本発明の画像処理装置は、放射線画像である原画像を取得して、第１画像処理を施すことにより、第１画像を生成する第１生成部と、第１生成部で生成された第１画像に対する処理操作を受け付けて、受け付けた処理操作に応じた第１画像処理を第１画像に施す第１画像処理部と、第２画像に対する処理操作を受け付けて、受け付けた処理操作に応じた第２画像処理を原画像に施す第２画像処理部と、第２画像処理部により第２画像処理が施された原画像に対して、第２画像解析処理を施すことにより、第２画像を生成する第２生成部と、第１画像処理部で受け付けた処理操作から、第２画像に対して引き継ぐ引継処理を選択し、選択した引継処理を第２生成部により生成された第２画像に反映させる反映部と、を備える。
【００２０】
本発明の画像処理システムは、本発明の画像処理装置と、画像処理装置により画像処理が施された画像を表示する表示部と、画像処理装置に対して処理操作を行う操作部と、を備える。
【００２１】
本発明の画像処理プログラムは、本発明の画像処理装置の各部としてコンピュータを機能させるためのものである。
【００２２】
本発明の画像処理方法は、放射線画像である原画像から、異なる画像処理が施された異なる複数の画像を生成する画像処理装置の画像処理方法であって、第１生成部により、原画像に対する１以上の処理操作を受け付けて、受け付けた処理操作に応じた第１画像処理を原画像に施して第１画像を生成し、第２生成部により、処理操作の中から選択された引継処理を原画像に反映させてから第１画像処理と異なる第２画像処理を施して第２画像を生成する、または、原画像に対して第２画像処理を施してから引継処理を反映させて第２画像を生成する。
【００２３】
本発明の画像処理法は、第１生成部により、放射線画像である原画像に第１画像解析処理を施すことにより、第１画像を生成し、画像処理部により、第１生成部で生成された第１画像に対する１以上の処理操作を受け付けて、受け付けた処理操作に応じた画像処理を第１画像に施し、第２生成部により、原画像に第１画像解析処理と異なる第２画像解析処理を施すことにより第２画像を生成し、処理操作の中から選択された引継処理を、引継先となる第２画像が生成される前の原画像または第２画像に反映させる。
【発明の効果】
【００２４】
本発明によれば、ユーザの処理操作の負荷を軽減させることができるという効果が得られる。
【図面の簡単な説明】
【００２５】
【図１】第１の実施の形態に係る放射線画像撮影システムの一例の概略構成を示す概略構成図である。
【図２】第１の実施の形態に係るコンソール及びＰＡＣＳの一例の概略構成図である。
【図３】第１の実施の形態の基本形態に係るコンソールにおける画像処理（処理操作）の流れの一例を示す説明図である。
【図４】第１の実施の形態の基本形態に係るコンソールの制御部によって実行される画像処理の一例のフローチャートである。
【図５】第１の実施の形態の基本形態に係るコンソールにおける画像処理（処理操作）の流れのその他の一例を示す説明図である。
【図６】第１の実施の形態の応用形態に係るコンソールにおける画像処理（処理操作）の流れの一例を示す説明図である。
【図７】第１の実施の形態の応用形態に係るコンソールの制御部によって実行される画像処理の一例のフローチャートである。
【図８】第１の実施の形態に係る目的Ａ第１画像及び目的Ｂ第１画像の表示の一例を示す説明図である。
【図９】第１の実施の形態の応用形態に係る画像処理で行われる操作画像処理の一例のフローチャートである。
【図１０】第１の実施の形態の応用形態における処理画像及び処理操作をユーザが行うための各種表示の一例を示す説明図である。
【図１１】第１の実施の形態の応用形態における確認用の目的Ａ画像の表示の一例を示した説明図である。
【図１２】第１の実施の形態の応用形態に係る引継項目設定処理の一例のフローチャートである。
【図１３】第１の実施の形態の応用形態における引継項目の一覧の表示の一例を示す説明図である。
【図１４】第１の実施の形態の応用形態における目的Ｂ第２画像及び引継項目の表示の一例を示す説明図である。
【図１５】第１の実施の形態の応用形態における確認用の目的Ｂ画像の表示の一例を示した説明図である。
【図１６】第２の実施の形態に係るコンソールにおける画像処理（処理操作）の流れの一例を示す説明図である。
【図１７】第２の実施の形態のコンソールの制御部によって実行される画像処理の一例のフローチャートである。
【図１８】第３の実施の形態に係るコンソールにおける画像処理（処理操作）の流れの一例を示す説明図である。
【図１９】第３の実施の形態のコンソールの制御部によって実行される画像処理の一例のフローチャートである。
【図２０】第４の実施の形態に係るコンソールにおける画像処理（処理操作）の流れの一例を示す説明図である。
【図２１】第４の実施の形態のコンソールの制御部によって実行される画像処理の一例のフローチャートである。
【図２２】第５の実施の形態に係るコンソールにおける画像処理（処理操作）の流れの一例を示す説明図である。
【図２３】第５の実施の形態のコンソールの制御部によって実行される画像処理の一例のフローチャートである。
【発明を実施するための形態】
【００２６】
以下、各図面を参照して本実施の形態の一例について説明する。
【００２７】
［第１の実施の形態］
まず、本実施の形態の画像処理装置として機能するコンソールにより放射線画像の画像処理を行う放射線画像撮影システムの概略構成について説明する。図１は、本実施の形態の放射線画像撮影システムの一例の概略構成図である。
【００２８】
放射線画像撮影システム１０は、放射線画像撮影装置１２と、放射線照射装置１６と、コンソール２０と、を備えている。コンソール２０と放射線画像撮影装置１２及び放射線照射装置１６とは、有線及び無線の少なくとも一方により接続されている。
【００２９】
放射線照射装置１６は、放射線（例えばエックス線（Ｘ線）等）を被検体１８に照射する機能を有している。放射線画像撮影装置１２は、放射線照射装置１６から照射され、被検体１８を透過した放射線を検出する放射線検出器１４を備えている。本実施の形態の放射線検出器１４は、特に限定されない。例えば、放射線検出器１４は、放射線を変換した光を電荷に変換する間接変換方式の放射線検出器であってもよい。また、例えば、放射線検出器１４は、放射線を直接電荷に変換する直接変換方式の放射線検出器であってもよい。
【００３０】
コンソール２０は、外部のシステム（例えば、ＲＩＳ：Radiology Information System：放射線情報システム）から入力された指示（撮影メニュー）に基づいて、医師や放射線技師等であるユーザの操作により放射線画像の撮影を行う機能を有している。また、本実施の形態のコンソール２０は、放射線画像撮影装置１２から放射線画像を取得し、ＰＡＣＳ（Picture Archiving and Communication System：画像保存通信システム）２２に出力する機能を有している。
【００３１】
放射線画像の撮影を行う際は、コンソール２０の制御に基づいたタイミングによって、放射線照射装置１６から照射され撮影位置に位置している被検体１８を透過することで画像情報を担持した放射線が放射線画像撮影装置１２の放射線検出器１４に照射される。放射線画像撮影装置１２は、放射線検出器１４により照射された放射線を検出し、検出された放射線に応じた放射線画像を生成して、コンソール２０に出力する。撮影された放射線画像は、コンソール２０から画像処理システムの一例であるＰＡＣＳ２２に出力され、ＰＡＣＳ２２によって管理される。
【００３２】
本実施の形態の画像処理装置は、コンソール２０に備えられており、放射線画像の画像処理を行う機能を有している。なお、以下では、「原画像（詳細後述」や「目的Ａ画像（詳細後述）」等、複数種類の画像について総称する場合は、照射された放射線に基づいた画像であることから、「放射線画像」と総称する。
【００３３】
図２は、画像処理機能を説明するためのコンソール２０の概略構成図の一例である。なお、画像処理装置はＰＡＣＳ２２に備えられていてもよい。また、本実施の形態において「画像処理」とは、画質の変換、回転、反転、マーカ重畳、及びコメント記入等を含み、画像（放射線画像を含む各種画像）に対して施される処理全般のことをいう。
【００３４】
本実施の形態のコンソール２０は、サーバー・コンピュータとして構成されており、制御部３０、ディスプレイドライバ３２、ディスプレイ３４、操作入力検出部３６、操作パネル３８、Ｉ／Ｏ（Input Output）部４０、Ｉ／Ｆ（Interface）部４２、及びＩ／Ｆ部４４を備えている。
【００３５】
制御部３０は、コンソール２０全体の動作を制御する機能を有しており、ＣＰＵ（Central Processing Unit）、ＲＯＭ（Read Only Memory）、ＲＡＭ（Random Access Memory）、及び記憶部を備えている。ＣＰＵは、コンソール２０全体の動作を制御する機能を有している。ＲＯＭには、ＣＰＵで使用される画像処理プログラムを含む各種プログラム等が予め記憶されている。ＲＡＭは、各種データを一時的に記憶する機能を有している。記憶部は、例えば、ＨＤＤ（Hard Disk Drive）であり、各種データを記憶して保持する機能を有している。記憶部は、詳細を後述する処理操作の種類の定義や引継ぎ条件の定義等を記憶する機能を有している。また、コンソール２０は、各種画像に対して画像処理を施す機能を有している。
【００３６】
ディスプレイドライバ３２は、ディスプレイ３４への各種情報の表示を制御する機能を有している。本実施の形態のディスプレイ３４は、撮影メニューや撮影された放射線画像等を表示する機能を有している。操作入力検出部３６は、操作パネル３８に対する操作状態や処理操作を検出する機能を有している。操作パネル３８は、放射線画像の撮影や撮影された放射線画像の画像処理に関する処理操作を、ユーザが入力するために用いられる。本実施の形態では操作パネル３８は、例えば、タッチパネル、タッチペン、複数のキー、及びマウス等を含んでいる。なお、操作パネル３８をタッチパネルとする場合は、ディスプレイ３４と同一としてもよい。
【００３７】
また、Ｉ／Ｏ部４０及びＩ／Ｆ部４２は、無線通信等により、ＰＡＣＳ２２の放射線画像処理装置５０との間で各種情報の送受信を行う機能を有している。また、Ｉ／Ｆ部４４は、放射線画像撮影装置１２及びＲＩＳとの間で、各種情報の送受信を行う機能を有している。
【００３８】
制御部３０、ディスプレイドライバ３２、操作入力検出部３６及びＩ／Ｏ部４０は、システムバスやコントロールバス等のバス４６を介して相互に情報等の授受が可能に接続されている。従って、制御部３０は、ディスプレイドライバ３２を介したディスプレイ３４への各種情報の表示の制御、及びＩ／Ｆ部４２を介したＰＡＣＳ２２との各種情報の送受信の制御を各々行うことができる。
【００３９】
本実施の形態のＰＡＣＳ２２は、放射線画像処理装置５０、放射線画像読影装置５２、及び記憶部５４を備えている。
【００４０】
本実施の形態の放射線画像処理装置５０は、コンソール２０からの指示に基づいて、放射線画像撮影装置１２から受信した放射線画像の記憶部５４への記憶を制御する機能を有している。放射線画像処理装置５０は、放射線画像読影装置５２への各種画像の表示を制御している。
【００４１】
本実施の形態の放射線画像処理装置５０は、制御部６０、Ｉ／Ｆ部６２、及び記憶部６４を備えている。
【００４２】
制御部６０は、ＰＡＣＳ２２全体を制御する機能を有している。制御部６０は、ＣＰＵ、ＲＯＭ、ＲＡＭ、及び記憶部を備えている。ＣＰＵは、ＰＡＣＳ２２の動作を制御する機能を有している。ＲＯＭには、ＣＰＵで使用される各種プログラム等が予め記憶されている。ＲＡＭは、各種データを一時的に記憶する機能を有している。記憶部は、ＨＤＤ等であり、各種データを記憶して保持する機能を有している。
【００４３】
記憶部６４は、コンソール２０から出力された放射線画像を記憶する機能を有している。記憶部６４としては、例えば、ＨＤＤ等が挙げられる。
【００４４】
Ｉ／Ｆ部６２は、無線通信等により、コンソール２０との間で各種情報の送受信を行う機能を有している。
【００４５】
制御部６０、及び記憶部６４は、システムバスやコントロールバス等のバス６６を介して相互に情報等の授受が可能に接続されている。
【００４６】
本実施の形態の記憶部５４は、放射線画像や、放射線画像処理装置５０によって画像処理された各種画像、及び各種画像に関係する情報を記憶する機能を有している。記憶部５４としては、例えば、ＨＤＤ等が挙げられる。
【００４７】
また、本実施の形態の放射線画像読影装置５２は、放射線画像や放射線画像処理装置５０によって画像処理された各種画像を読影者が読影するための機能を有する装置であり、特に限定されないが、いわゆる、読影ビューワやコンソール、及びタブレット端末等が挙げられる。本実施の形態の放射線画像読影装置５２は、パーソナル・コンピュータである。放射線画像読影装置８５は、コンソール２０や放射線画像処理装置５０と同様に、ＣＰＵ、ＲＯＭ、ＲＡＭ、記憶部、ディスプレイドライバ、ディスプレイ５８、操作入力検出部、操作パネル５６、Ｉ／Ｏ部、及びＩ／Ｆ部を備えている。なお、図２では、記載が煩雑になるのを避けるため、上記構成のうち、ディスプレイ５８及び操作パネル５６のみを示し、他の記載を省略している。
【００４８】
本実施の形態の放射線画像撮影システム１０では、１回の撮影により目的が異なる複数の放射線画像を取得することができる。なお、本実施の形態において「１回の撮影」とは、撮影メニューまたはユーザにより設定された１回分（一連）の撮影のことをいい、撮影される放射線画像の枚数は、１枚である場合もあるし、複数枚である場合もある。また、本実施の形態において「１回の撮影」とは、静止画及び動画のいずれであってもよい。なお、以下では、１回の撮影により目的が異なる複数の放射線画像を撮影することを「多目的撮影」という。
【００４９】
本実施の形態において「目的が異なる複数の画像」とは、特に限定されないが、検査の目的や、医師等の読影者が異なる診察・診断に用いるための放射線画像のことをいう。例えば、健康診断における一般の胸部放射線撮影による放射線画像と、塵肺検査用の放射線画像とが挙げられる。また例えば、通常の一般検診用の放射線画像と、特殊用途用画像とが挙げられる。特殊用途用画像としては、人工物の確認用画像、カテーテル強調画像、及びガーゼ強調画像等が挙げられるが特に限定されない。
【００５０】
本実施の形態のコンソール２０は、撮影メニューまたはユーザにより多目的撮影が指示された場合、１回の撮影によって得られた放射線画像を原画像として、原画像に対して異なる画像処理を施すことにより、目的が異なる複数の放射線画像を生成する。なお、本実施の形態において「原画像」とは、放射線画像撮影装置１２で撮影された放射線画像に対して、目的に関係なく一律に全ての放射線画像に施すことが予め定められた画像処理を施した放射線画像のことをいう。
【００５１】
なお、多目的撮影によって生成された目的が異なる複数の放射線画像と、多目的撮影の原画像と、多目的撮影ではない撮影（１回の撮影によって得られた画像から１種類の放射線画像を生成する場合の撮影）によって生成された放射線画像とは、放射線画像の見た目では判別がつかない懸念がある。本実施の形態では、両者を区別するための識別子を各放射線画像（原画像も含む）に対応付けておき、設定やユーザの所望に応じてディスプレイ３４に表示させるようにしている。識別子は、放射線画像がどのように撮影されたいずれの画像であるかについてユーザが認識できるものであれば特に限定されず、マーク、番号、及び名称等のいずれであってもよい。
【００５２】
以下、図面を参照して本実施の形態のコンソール２０の、多目的撮影における画像処理について説明する。なお、以下では、具体的一例として、多目的撮影により一般の胸部放射線撮影用の画像（目的Ａ画像）と、塵肺検査用の画像（目的Ｂ画像）とを生成する場合について説明する。
【００５３】
まず、コンソール２０の多目的撮影における画像処理の基本形態について説明する。
【００５４】
図３には、本実施の形態のコンソール２０における基本形態に係る画像処理（処理操作）の流れの一例を示す。また、図４には、本実施の形態のコンソール２０の制御部３０によって実行される画像処理の一例のフローチャートを示す。本実施の形態のコンソール２０では、制御部３０がＲＯＭに記憶されている画像処理プログラムを実行することにより、本発明の各部として機能して図４に示した画像処理を実行する。
【００５５】
なお、本実施の形態では、ユーザが、コンソール２０の操作パネル３８により処理操作を行う場合について説明する。以下の画像処理においてコンソール２０は、各種画像をディスプレイ３４に表示させる。
【００５６】
ステップＳ１０では、制御部３０が、原画像を取得する。本実施の形態では、制御部３０が、放射線画像撮影装置１２から放射線検出器１４で撮影された放射線画像を原画像として取得する。
【００５７】
次のステップＳ１２では、制御部３０はユーザにより選択された処理画像を受け付ける。具体的には、本実施の形態では、制御部３０は、目的Ａ画像及び目的Ｂ画像のいずれのためにユーザが処理操作を行うかを受け付ける。なお、目的Ａ画像及び目的Ｂ画像のいずれのめにユーザが処理操作を施すかが予め定められている場合は、ステップＳ１２の処理を省略すればよい。
【００５８】
次のステップＳ１４では、制御部３０は、処理画像（原画像）をディスプレイ３４に表示させる。なお、「処理画像」とは、ユーザの処理操作の対象となる画像をいい、本ステップでは、原画像のことをいう。本実施の形態では、処理画像と共に、処理操作をユーザが行うための各種表示をディスプレイ３４に行わせる。なお、以下では説明の便宜上、処理画像である原画像に対してユーザが処理操作を行い、目的Ａ画像を生成する場合について説明する。
【００５９】
ユーザは、目的Ａ画像を生成するために複数の処理操作を行うが、目的Ａのためのみの処理操作、及び目的Ｂ画像の生成のために引き継いで反映させる処理操作の２種類の処理操作を行う。
【００６０】
次のステップＳ１６では、制御部３０は、処理操作が有るか否かを判断する。処理操作が有るまで、待機状態となり、一方、操作入力検出部３６が、処理操作を検出した場合等は、ステップＳ１８へ進む。
【００６１】
ステップＳ１８では、制御部３０は、操作入力検出部３６が検出した処理操作に応じた、画像処理を行い、画像処理後の画像をディスプレイ３４に表示させる。
【００６２】
次のステップＳ２０では、制御部３０は、処理操作を終了するか否かを判断する。終了しない場合は、ステップＳ１６に戻り、本処理を繰り返す。一方、終了する場合は、ステップＳ２２へ進む。
【００６３】
図３に示した具体的一例では、目的Ａ画像を生成するために、原画像に対して、ユーザは、処理操作Ａ、ＡＡ、及びＡＡＡの３種類を行っている。そのため、制御部３０は、処理操作Ａに応じて原画像に対して画像処理Ａを行い目的Ａ第１画像を生成してディスプレイ３４に表示する。さらに、制御部３０は、処理操作ＡＡに応じて目的Ａ第１画像に対して画像処理ＡＡを行い、目的Ａ第２画像を生成してディスプレイ３４に表示する。さらに、制御部３０は、処理操作ＡＡＡに応じて目的Ａ第２画像に対して画像処理ＡＡＡを行い、目的Ａ画像を生成してディスプレイ３４に表示する。従って、ステップＳ２０で肯定された場合は、ディスプレイ３４には、目的Ａ画像が表示された状態になる。
【００６４】
ステップＳ２２では、制御部３０は、目的Ａ画像の画像情報と、目的Ａ画像の生成のために施した画像処理（Ａ、ＡＡ、及びＡＡＡ）の内容とを対応付けて制御部３０内の記憶部に記憶させる。
【００６５】
次のステップＳ２４では、制御部３０は、引継項目に設定された処理操作（引継処理）を原画像に反映させて、目的Ｂ第１画像を生成する。図３に示した具体的一例では、目的Ｂ画像を生成するために、原画像に対して、処理操作ＡＡを引き継いでいる。そのため、制御部３０は、原画像に処理操作ＡＡを反映させて目的Ｂ第１画像を生成する。
【００６６】
次のステップＳ２６では、制御部３０は、目的Ｂ第１画像をディスプレイ３４に表示させる。
【００６７】
次のステップＳ２８では、制御部３０は、処理操作の有無を判断する。処理操作が無い場合は待機状態となる、一方、処理操作が有った場合は、ステップＳ３０に進み、処理操作に応じた画像処理を施す。
【００６８】
次のステップＳ３２では、制御部３０は、処理操作を終了するか否か判断する。処理操作を終了しない場合は、ステップＳ２８に戻り、処理操作を繰り返す。一方、処理操作を終了する場合は、ステップＳ３４へ進む。図３に示した具体的一例では、目的Ｂ画像を生成するために、目的Ｂ第１画像に対して、ユーザは、処理操作Ｂを行っている。そのため、制御部３０は、処理操作Ｂに応じて目的Ｂ第１画像に対して画像処理Ｂを行い目的Ｂを生成する。
【００６９】
ステップＳ３４では、ディスプレイ３４に目的Ｂ画像を表示させる。次のステップＳ３６では、制御部３０は、目的Ｂ画像の画像情報と、目的Ｂ画像の生成のために施した画像処理（処理操作ＡＡ、及び処理操作Ｂ）の内容とを対応付けて制御部３０内の記憶部に記憶させた後、本画像処理を終了する。なお、画像処理により生成された目的Ａ画像、及び目的Ｂ画像の出力先がそれぞれ予め定められている場合、またはユーザにより指定された場合は、各々出力先（例えば、ＰＡＣＳ２２の放射線画像処理装置５０や放射線画像読影装置５２等）に出力させればよい。
【００７０】
なお、上記基本形態では、目的Ａ画像を生成するためにユーザにより行われた処理操作のうちＡＡを、目的Ｂ画像を生成するための処理操作として引き継いだが、引き継ぐ処理操作は、限定されない。引き継ぐ処理操作は、処理操作Ａであってもよいし、処理操作ＡＡＡであってもよい。
【００７１】
なお、上記基本形態では、目的Ｂ画像を生成するための画像処理として、処理操作ＡＡに応じた画像処理ＡＡを行った後に、処理操作Ｂに応じた画像処理Ｂを行っているが、画像処理（処理操作）の順番は、これに限らない。
【００７２】
図５には、本実施の形態のコンソール２０における基本形態に係る画像処理（処理操作）の流れのその他の一例を示す。図５に示した場合では、まず、制御部３０は、原画像に上記処理操作Ｂに応じて画像処理を行い、目的Ｂ第１画像を生成する。その後、制御部３０は、目的Ａ画像を生成するための処理操作から引き継がれた処理操作ＡＡに応じた画像処理ＡＡを目的Ｂ第１画像に対して行い、目的Ｂ画像を生成する。この場合の制御部３０で行われる画像処理の流れとしては、例えば、図４に示した画像処理のステップＳ２４と、ステップ２８〜Ｓ３２とを入れ替えればよい。
【００７３】
このように、本実施の形態の基本形態では、コンソール２０の制御部３０は、原画像にユーザの処理操作に応じた画像処理を行い、一方の目的画像（上記具体例では、目的Ａ画像）を生成する。そして、制御部３０は、一方の目的画像を生成するための処理操作を他方の目的画像（上記具体例では、目的Ｂ画像）を生成するための処理操作として引継ぎ、引き継いだ処理操作を反映させて画像処理を行う。さらに、制御部３０は、他方の目的画像を生成するためにユーザが行った処理操作に応じた画像処理を行い他方の目的画像を生成する。
【００７４】
次に、本実施の形態の応用形態に係る画像処理について説明する。図６には、本実施の形態のコンソール２０における応用形態に係る画像処理（処理操作）の流れの一例を示す。また、図７には、本実施の形態のコンソール２０の制御部３０によって実行される画像処理の一例のフローチャートを示す。本実施の形態のコンソール２０では、制御部３０がＲＯＭに記憶されている画像処理プログラムを実行することにより、本発明の各部として機能して図７に示した画像処理を実行する。なお、本実施の形態において「画像解析処理」とは、コンソール２０が自動的に（ユーザの指示無く）施す画像処理のことをいう。
【００７５】
ステップＳ１００では、制御部３０は、原画像を取得する。
【００７６】
次のステップＳ１０２では、制御部３０は、画像解析処理Ａを行って、目的Ａ第１画像を生成する。また、次のステップＳ１０４では、制御部３０は、画像解析処理Ｂを行って、目的Ｂ第１画像を生成する。本実施の形態において画像解析処理Ａ及び画像解析処理Ｂは、原画像から目的Ａ画像及び目的Ｂ画像を生成するために、予め定められた画像解析処理である。なお、画像解析処理Ａ及び画像解析処理Ｂは、目的に応じて定められる他は、特に限定されない。例えば、画像解析処理Ａ及び画像解析処理Ｂは、全く種類が異なる画像処理であってもよいし、同一種類（例えば階調処理）であるがパラメータが異なる画像処理であってもよい。
【００７７】
次のステップＳ１０６では、制御部３０は、目的Ａ第１画像及び目的Ｂ第１画像をディスプレイ３４に表示させる。コンソール２０は、表示を行うことにより、いずれの画像に対して処理操作を行うかユーザに選択させる。
【００７８】
図８には、目的Ａ第１画像及び目的Ｂ第１画像の表示の一例を示す。図５に示した一例では、目的Ａ第１画像７０Ａ、目的Ｂ第１画像７０Ｂ、目的Ａ第１画像を選択するためのチェックボックス７２Ａ、目的Ｂ第１画像を選択するためのチェックボックス７２Ｂ、終了ボタン７４が表示される。ユーザはチェックボックス７２Ａ及びチェックボックス７２Ｂのいずれかをチェックすることにより、処理操作を行う画像を選択する。図８では、チェックボックス７２Ａがチェックされ、目的Ａ第１画像が選択された状態を示している。ユーザによる選択は、終了ボタン７４がユーザによりボタンダウンされることにより完了する。
【００７９】
なお、本実施の形態では、目的Ａ第１画像７０Ａ及び目的Ｂ第１画像７０Ｂを表示させたが、画像を表示せずにチェックボックス７２Ａ及びチェックボックス７２Ｂを表示させてもよい。
【００８０】
ステップＳ１０８では、制御部３０は、ユーザにより選択された処理画像（目的Ａ第１画像７０Ａ及び目的Ｂ第１画像７０Ｂのいずれか）を受け付ける。なお、目的Ａ第１画像及び目的Ｂ第２画像のいずれに対してユーザが処理操作を施すかが予め定められている場合は、ステップＳ１０６及びステップＳ１０８の処理を省略すればよい。
【００８１】
次のステップＳ１１０では、制御部３０は、処理画像をディスプレイ３４に表示させる。なお、本実施の形態では、制御部３０は、処理画像と共に、処理操作をユーザが行うための各種表示をディスプレイ３４に行わせる。なお、以下では説明の便宜上、処理画像を目的Ａ第１画像７０Ａとした場合について説明する。
【００８２】
図１０には、本実施の形態における処理画像及び処理操作をユーザが行うための各種表示の一例を示す。図１０に示した一例では、目的Ａ第１画像７０Ａと、終了ボタン７４と、処理操作選択部７６と、パラメータ表示部７８と、が表示されている。また、図１０に示した一例では、処理操作選択部７６に、ユーザが処理操作の種類を選択するための各種処理操作に応じたアイコンが表示される。図１０に示した一例の処理操作選択部７６には、回転、移動、拡大、トリミング、及び濃度や輝度等を表すヒストグラム等を選択するためのアイコンが表示されている。ユーザは、操作パネル３８により処理操作選択部７６から処理操作を選択し、目的Ａ第１画像７０Ａ上で処理操作を行う。パラメータ表示部７８には、ユーザが行った処理操作の度合い（パラメータ）が表示される。なお、ユーザが行う処理操作は図１０に示した一例に限定されない。
【００８３】
ユーザは、目的Ａ第１画像７０Ａに対して、目的Ａのためのみの処理操作、及び目的Ｂのための画像（目的Ｂ第１画像７０Ｂ）にも処理を引き継いで反映させる処理操作の２種類の処理操作を行う。本実施の形態では、２種類の処理操作を区別する場合は、目的Ａのためのみの処理操作を「処理操作Ａ」、処理操作Ａによりコンソール２０が施す画像処理を「画像処理Ａ」という。また、目的Ｂのための画像に対して引き継ぐ処理操作を「処理操作Ｃ」、処理操作Ｃによりコンソール２０が施す画像処理を「画像処理Ｃ」という。
【００８４】
次のステップＳ１１２では、制御部３０は、ユーザの処理操作に応じた画像処理を施す操作画像処理を行う。ステップＳ１１２で行われる操作画像処理の一例のフローチャートを図９に示す。
【００８５】
ステップＳ２００では、制御部３０は、処理操作が開始されたか否か判断する。本実施の形態では、例えば、処理操作選択部７６で処理操作が選択され、目的Ａ第１画像７０Ａ上で何らかの操作が行われた場合に、処理操作が開始されたと判断する。具体的一例としては、目的Ａ第１画像７０Ａ上で、操作パネル３８のマウスのボタンダウンを検出した場合に処理操作が開始されたと判断することが挙げられる。処理操作が開始されていない場合は待機状態となり、処理操作が開始されるとステップＳ２０２へ進む。
【００８６】
ステップＳ２０２では、制御部３０は、操作時間、操作量、及び操作回数の少なくとも一つのカウントを図示を省略したカウンタにより開始する。いずれをどのようにカウントするかを定義した計測ルールは操作の種類毎に予め定めておけばよい。なお、計測ルールは、ユーザにより設定または選択が可能であってもよく、特に限定されない。
【００８７】
ステップＳ２０４では、制御部３０は、処理操作に応じた画像処理を目的Ａ第１画像７０Ａに施し、画像処理を施された目的Ａ第１画像７０Ａ（処理画像）をディスプレイ３４に表示させる。すなわち、ユーザが行う処理操作に応じた画像が順次生成され、図１０に示したディスプレイ３４の目的Ａ第１画像７０Ａに替わり順次表示されていく。
【００８８】
次のステップＳ２０６では、制御部３０は、処理操作が終了したか否か判断する。具体的一例としては、ユーザ行った操作パネル３８のマウスのボタンダウンを受けて制御部３０が処理操作の開始を検出した場合は、ボタンアップの時点を処理操作の終了として判断することが挙げられる。終了していない場合は、ステップＳ２０４に戻り処理を繰り返す。一方、終了した場合は、ステップＳ２０８へ進み、ステップＳ２０８では、カウントを停止する。
【００８９】
次のステップＳ２１０では、制御部３０は、処理操作の種類とカウント値とを対応付けて制御部３０内の記憶部に記憶させる。本実施の形態では、具体的一例として画像を回転する処理操作を、１５度右回転（１秒）、１０度左回転（１０秒）、１５度右回転（５秒）、及び３０度右回転（０．５秒）の４回行った場合を挙げる。処理内容としては、「１５度右回転１秒」、「１０度左回転１０秒」、「１５度右回転５秒」、及び「３０度右回転０．５秒」の４つが記憶される。また、さらにユーザが処理操作として、マークの追加を２０秒、コメント追加を１０秒、濃度補正を１時間行った場合を具体的一例とする。処理内容としては、「マーク追加２０秒」、「コメント追加１０秒」、及び「濃度補正１時間」の３種類が記憶される。
【００９０】
次のステップＳ２１２では、制御部３０は、ユーザによる処理操作が終了されたか否か判断する。本実施の形態では、図１０に示したディスプレイ３４に表示された終了ボタン７４がユーザにより指示されたことを制御部３０が検出した場合に、終了すると判断する。終了しない場合は、ステップＳ２００に戻り、新たな処理操作について制御部３０は、ステップＳ２００〜ステップＳ２１０の処理を繰り返す。一方、終了ボタン７４がユーザにより指示されたことを制御部３０が検出した場合は、本操作画像処理を終了し、画像処理（図７参照）のステップＳ１１４へ進む。
【００９１】
本実施の形態では、操作画像処理の終了により、目的Ａ画像の生成が終了するため、ステップＳ１１４では、制御部３０は、ディスプレイ３４に目的Ａ画像を表示させて、ユーザに目的Ａ画像を確認させる。図１１には、本実施の形態における確認用の目的Ａ画像の表示の一例を示す。図１１に示した一例では、目的Ａ画像と、終了ボタン７４と、修正ボタン７５と、が表示されている。本実施の形態の制御部３０では、終了ボタン７４がボタンダウンされたことを検出することにより、目的Ａ画像の生成を完了する。また、本実施の形態のコンソール２０では、図７では記載を省略したが修正ボタン７５がボタンダウンされたことを制御部３０が検出した場合は、ステップＳ１１２の処理を再び行って、目的Ａ画像の修正を行う。
【００９２】
終了ボタン７４がボタンダウンされたことを制御部３０が検出するとステップＳ１１６へ進む。ステップＳ１１６では、制御部３０は、目的Ａ画像の画像情報と、目的Ａ画像の生成のために施した画像処理（画像解析処理を含む）の内容とを対応付けて制御部３０内の記憶部に記憶させる。
【００９３】
次のステップＳ１１８では、制御部３０は、目的Ａ第１画像７０Ａに施した処理操作のうち、目的Ｂ第１画像７０Ｂに対して引き継ぐ処理操作を設定する引継項目設定処理を行う。図１２には、本実施の形態の引継項目設定処理の一例のフローチャートを示す。
【００９４】
ステップＳ３００では、制御部３０は、目的Ａ第１画像７０Ａ画像に対してなされた種類が同一の処理操作のカウント値を合算する。本実施の形態では、ステップＳ１１６の処理により記憶させた処理内容のうちから種類が同一の処理操作のカウント値を合算する。
【００９５】
処理操作の種類は予め定められており、処理操作の種類の定義は、予め記憶部６４に記憶されている。なお、処理操作の種類の定義は、ユーザによる設定、または選択が可能であってもよい。処理操作の種類として「回転」が定義されている際の上記具体的一例では、処理操作の種類が「回転」である処理操作が４つ記憶されているため、カウント値（ここでは度数）を合算し、５０度右回転を１６．５秒とする。
【００９６】
次のステップＳ３０２では、制御部３０は、カウント値と閾値とを比較する。本実施の形態の制御部３０では、処理操作の種類毎に、時間を要する処理操作、操作量が多い処理操作、及び操作回数が多い処理操作のいずれか１つの引継ぎ条件に当てはまる処理操作を手間がかかる処理操作であると判別して目的Ｂ第１画像７０Ｂに対する処理操作として引き継ぐ。
【００９７】
本実施の形態では、具体的一例として、引継ぎの条件（閾値）として回転が１０秒以上、マーク追加は３０秒以上、コメント追加は１分以上、濃度補正は引き継がないことが予め定義され、制御部３０内の記憶部に記憶されている。なお、引継ぎの条件の定義は、ユーザによる設定、または選択が可能であってもよい。
【００９８】
ステップＳ３０２では、制御部３０は、引継ぎ条件である閾値とカウント値とを比較し、次のステップＳ３０４では、制御部３０は、カウント値が閾値以上の処理操作（種類毎）を引継項目として設定する。なお、本実施の形態のコンソール２０では、制御部３０内に設定を記憶する設定記憶部（図示省略）が設けられており、設定記憶部に設定を記憶させることにより、引継項目の設定が行われる。本実施の形態では、回転のカウント値が閾値以上であり、他の処理操作（マーク追加、コメント追加、及び濃度補正）は閾値未満、または引き継がないため、回転のみを引継項目として設定する。図７に例示した画像処理の流れにおいては、マーク追加、コメント追加、及び濃度補正が処理操作Ａに対応し、回転が処理操作Ｃに対応する。
【００９９】
次のステップＳ３０６では、制御部３０は、引継項目の一覧を作成し、ディスプレイ３４に表示させる。図１３には、本実施の形態における引継項目の一覧の表示の一例を示す。引継項目の一覧の表示の仕方は、ユーザに、引継項目を確認させることができればよく、さらに、ユーザが引継項目の設定を行うことができればよく、特に限定されない。
【０１００】
図１３（１）に例示した引継項目一覧では、ユーザが行った処理操作の種類一覧を表示し、ステップＳ３０４で設定した引継項目がいずれであるかをチェックボックスにチェックすることにより示している。ユーザは、チェックされている引継項目のうち引継ぎが不要である処理操作に対しては、チェックボックスのチェックを外し、チェックされていない引継項目のうち引継ぎを要する処理操作に対しては、チェックボックスにチェックを行うことにより引継項目の設定を行える。
【０１０１】
また、図１３（２）に例示した引継項目一覧では、ユーザが行った処理操作の種類一覧を表示し、ステップＳ３０４で設定した引継項目がいずれであるかをチェックボックスにチェックすることにより示している。さらに、図１３（２）に示した場合では、既に設定（チェック）されている引継項目についてはユーザによる変更が不可能となっている。ユーザは、チェックされていない引継項目のうち引継ぎを要する処理操作に対しては、チェックボックスにチェックを行うことにより引継項目の設定を行える。
【０１０２】
また、図１３（３）に例示した引継項目一覧では、ステップＳ３０４で設定した引継項目のみを表示している。ユーザは、チェックされている引継項目のうち引継ぎが不要である処理操作に対しては、チェックボックスのチェックを外すことにより引継項目の設定を行える。
【０１０３】
また、図１３（４）に例示した引継項目一覧では、ステップＳ３０４で設定した引継項目ではない処理操作、すなわち引き継がない処理操作の項目のみを表示している。ユーザは、チェックボックスにチェックを行うことにより、引き継がないとされている処理操作を引継項目に設定することができる。
【０１０４】
次のステップＳ３０８では、制御部３０は、ユーザにより引継項目の変更が有ったか否か判断する。本実施の形態では、図１３に例示した引継項目の一覧の表示のいずれかを行っているため、チェックボックスへの指示を検出した場合に、制御部３０は、引継項目が変更されたと判断する。引継項目が変更されなかった場合は、本引継項目設定処理を終了し、画像処理（図７参照）のステップＳ１２０へ進む。一方、引継項目が変更された場合は、ステップＳ３１０へ進む。
【０１０５】
ステップＳ３１０では、制御部３０は、ステップＳ３０８で検出した変更に応じて、制御部３０内の設定記憶部に記憶されている設定を変更した後、本引継項目設定処理を終了し、画像処理（図７参照）のステップＳ１２０へ進む。
【０１０６】
ステップＳ１２０では、制御部３０は、コンソール２０は、引継項目に設定された処理操作（引継処理）を目的Ｂ第１画像７０Ｂに反映させて、目的Ｂ第２画像を生成する。本実施の形態では、制御部３０は、回転が引き継がれたため、目的Ｂ第１画像７０Ｂを回転（右５０度）させて目的Ｂ第２画像を生成する。
【０１０７】
次のステップＳ１２２では、制御部３０は、目的Ｂ第２画像をディスプレイ３４に表示させる。次の、ステップＳ１２４では、制御部３０は、引継項目をディスプレイ３４に表示させる。図１４には、目的Ｂ第２画像及び引継項目の表示の一例を示す。
【０１０８】
次のステップＳ１２６では、制御部３０は、引継項目の変更が有るか否か判断する。本実施の形態では、引継項目の変更が可能である。例えば、図１４に例示した表示では、引き継がない方がよいと判断した処理操作があった場合、ユーザが、引継がれた項目のチェックボックスからチェックを外すことにより、引継項目の変更を行える。なお、目的Ａ第１画像７０Ａに対して行った他の処理操作（処理操作Ａ）の項目を表示させ、引継項目に設定されていなかった処理操作を引き継がせるよう変更可能であってもよい。
【０１０９】
制御部３０は、引継項目の変更が無く、終了ボタン７４のボタンダウンを検出した場合は、ステップＳ１３０へ進む。一方、引継項目の変更が有った場合は、ステップＳ１２８に進む。ステップＳ１２８では、変更に応じた画像を生成する。
【０１１０】
次のステップＳ１３０では、制御部３０は、処理画像をディスプレイ３４に表示させる。本ステップでは、上記ステップＳ１１０と同様に処理画像と共に、処理操作をユーザが行うための各種表示をディスプレイ３４に行わせる。本実施の形態では、具体的一例として図１０に例示した表示において、目的名を目的Ｂに変更し、処理画像を目的Ｂ第２画像７９Ｂ（または、ステップＳ１２８で生成された画像）とした表示を行う。
【０１１１】
ユーザは、表示に応じて、上述した目的Ａ第１画像７０Ａにおける処理操作と同様に、目的Ｂ画像のための処理操作を行う。次のステップＳ１３２では、制御部３０は、処理操作の有無を判断する。処理操作が無い場合は待機状態となる、一方、処理操作が有った場合は、ステップＳ１３４に進み、制御部３０は、処理操作に応じた画像処理を施す。本ステップでは、上記操作画像処理のステップＳ２０４と同様に、ユーザが行う処理操作に応じた画像が順次生成され、ディスプレイ３４に順次表示されていく。
【０１１２】
次のステップＳ１３６では、制御部３０は、処理操作を終了するか否か判断する。本実施の形態では、終了ボタン７４のボタンダウンを検出した場合に、処理操作を終了すると判断する。終了しない場合は、ステップＳ１３２に戻り、処理操作を繰り返す。一方、処理操作を終了する場合は、ステップＳ１３８へ進む。
【０１１３】
ステップＳ１３８では、制御部３０は、上記ステップＳ１１４と同様に、ディスプレイ３４に目的Ｂ画像を表示させて、ユーザに目的Ｂ画像を確認させる。図１５には、本実施の形態における確認用の目的Ｂ画像の表示の一例を示す。図１５に示した一例では、目的Ｂ画像と、終了ボタン７４と、修正ボタン７５と、が表示されている。本実施の形態の制御部３０では、終了ボタン７４がボタンダウンされたことを検出することにより、目的Ｂ画像の生成を完了する。また、本実施の形態の制御部３０では、図７では記載を省略したが修正ボタン７５がボタンダウンされたことを検出した場合は、ステップＳ１３２〜ステップＳ１３６の処理を再び行って、目的Ｂ画像の修正を行う。
【０１１４】
次のステップＳ１４０では、制御部３０は、目的Ｂ画像の画像情報と、目的Ｂ画像の生成のために施した画像処理（画像解析処理を含む）の内容とを対応付けて制御部３０内の記憶部に記憶させた後、本画像処理を終了する。なお、画像処理により生成された目的Ａ画像、及び目的Ｂ画像の出力先がそれぞれ予め定められている場合、またはユーザにより指定された場合は、各々出力先（例えば、ＰＡＣＳ２２の放射線画像処理装置５０や放射線画像読影装置５２等）に出力させればよい。
【０１１５】
［第２の実施の形態］
本実施の形態の放射線画像撮影システム１０、コンソール２０、及びＰＡＣＳ２２は、第１の実施の形態の放射線画像撮影システム１０、コンソール２０、及びＰＡＣＳ２２と略同様の構成及び動作であるため、同一部分については、詳細な説明を省略する。
【０１１６】
放射線画像撮影システム１０、コンソール２０、及びＰＡＣＳ２２の構成は、第１の実施の形態と同一であるため、本実施の形態では説明を省略する。
【０１１７】
本実施の形態のコンソール２０では、引継項目として設定された処理操作を他の画像（ユーザが処理操作を行わなかった画像）に反映させるタイミングが、第１の実施の形態の応用形態と異なる。
【０１１８】
図１６には、本実施の形態のコンソール２０の制御部３０における画像処理（処理操作）の流れの一例を示す。なお、本実施の形態においても説明の便宜上、ユーザが目的Ａのための画像（目的Ａ第１画像）に対して行った処理操作を目的Ｂのための画像に対して引き継ぐ場合について説明する。
【０１１９】
本実施の形態では、図１６に示すように、目的Ａ画像を生成するための画像処理（処理操作）は、第１の実施の形態の応用形態と同様（図６参照）である。一方、目的Ｂ画像を生成するための画像処理（処理操作）では、コンソール２０が原画像に画像解析処理Ｂを施し、目的Ｂ第１画像を生成した後、ユーザにより処理操作Ｂ（目的Ｂ画像の生成に対して行われ、目的Ａ画像の生成に対しては行われない処理操作）が行われて目的Ｂ第２画像が生成される。引き継がれた処理操作である処理操作Ｃをコンソール２０が目的Ｂ第２画像に反映させて目的Ｂ画像を生成する。
【０１２０】
図１７には、本実施の形態のコンソール２０の制御部３０によって実行される画像処理の一例のフローチャートを示す。本実施の形態の画像処理は、処理操作Ｂ及び処理操作Ｃのタイミングが第１の実施の形態の応用形態と入れ替わっているため、図１７に示すように、第１の実施の形態の応用形態に係る画像処理（図７参照）のステップＳ１２０〜ステップＳ１２８に対応する処理がステップＳ１３６とステップＳ１３８との間で行われる。
【０１２１】
本実施の形態の制御部３０は、ステップＳ１００〜ステップＳ１１８までは、第１の実施の形態の応用形態と同様にして、目的Ａ画像の生成を完了すると共に、引継項目の設定を行う。
【０１２２】
本実施の形態の制御部３０では、ステップＳ１１８の次は、ステップＳ１３０へ進む。本実施の形態の制御部３０は、ステップＳ１３０〜ステップＳ１３６までは、第１の実施の形態の応用形態と同様にして、ユーザの処理操作Ｂに応じた画像処理Ｂを施して目的Ｂ第２画像の生成を行う。
【０１２３】
次のステップＳ１３７−１〜ステップＳ１３７−５の各処理は、それぞれ、第１の実施の形態の応用形態に係る画像処理のステップＳ１２０〜ステップＳ１２８に対応している。すなわち、本実施の形態の制御部３０では、ステップＳ１３７−１〜ステップＳ１３７−３の各処理により、処理操作Ｂに応じた画像処理Ｂが施された画像に対して引継処理となる処理操作Ｃを反映させて、目的Ｂ画像を生成し、目的Ｂ画像と共に引継項目をディスプレイ３４に表示させる。
【０１２４】
さらにステップＳ１３７−４及びステップＳ１３７−５では、制御部３０は、引継項目の変更が有るか否か判断して、引継項目の変更が無い場合は、目的Ｂ画像の生成が完了したため、ステップＳ１３８へ進む。一方、引継項目の変更が有った場合は、変更に応じた画像を生成することにより目的Ｂ画像の生成が完了したため、ステップＳ１３８へ進む。
【０１２５】
次のステップＳ１３８及びステップＳ１４０は、第１の実施の形態の応用形態と同様である。ステップＳ１３８では、制御部３０は、目的Ｂ画像をディスプレイ３４に表示させてユーザに目的Ｂ画像を確認させる。ステップＳ１４０では、制御部３０は、目的Ｂ画像の画像情報と、目的Ｂ画像の生成のために施した画像処理（画像解析処理を含む）の内容とを対応付けて制御部３０内の記憶部に記憶させた後、本画像処理を終了する。
【０１２６】
［第３の実施の形態］
本実施の形態の放射線画像撮影システム１０、コンソール２０、及びＰＡＣＳ２２は、上記各実施の形態の放射線画像撮影システム１０、コンソール２０、及びＰＡＣＳ２２と略同様の構成及び動作であるため、同一部分については、詳細な説明を省略する。
【０１２７】
放射線画像撮影システム１０、コンソール２０、及びＰＡＣＳ２２の構成は、第１の実施の形態と同一であるため、本実施の形態では説明を省略する。
【０１２８】
本実施の形態のコンソール２０では、ユーザが引継処理となる処理操作を含む処理操作を施す画像が予め定められており、ユーザが処理操作を行わなかった画像に画像解析処理を施すタイミングが、第１の実施の形態の応用形態と異なる。
【０１２９】
図１８には、本実施の形態のコンソール２０の制御部３０における画像処理（処理操作）の流れの一例を示す。なお、本実施の形態においても説明の便宜上、ユーザが目的Ａのための画像（目的Ａ第１画像）に対して行った処理操作を目的Ｂのための画像に対して引き継ぐ場合について説明する。
【０１３０】
本実施の形態では、図１８に示すように、目的Ａ画像を生成するための画像処理（処理操作）は、第１の実施の形態の応用形態と同様（図７参照）である。一方、目的Ｂ画像を生成するための画像処理（処理操作）では、コンソール２０の制御部３０が原画像に対して引き継がれた処理操作である処理操作Ｃを反映させて目的Ｂ第１画像を生成する。目的Ｂ第１画像に対して画像解析処理Ｂを施し、目的Ｂ第２画像を生成した後、ユーザにより処理操作Ｂが行われて目的Ｂ画像が生成される。
【０１３１】
図１９には、本実施の形態のコンソール２０の制御部３０によって実行される画像処理の一例のフローチャートを示す。本実施の形態の画像処理は、予め目的Ａのための画像（目的Ａ第１画像）に対して引継処理となる処理操作を含む処理操作を行うことが定められているため、図１９に示すように、第１の実施の形態の応用形態に係る画像処理（図７参照）のステップＳ１０６及びステップＳ１０８の処理が設けられていない。また、本実施の形態の画像処理は、画像解析処理Ｂのタイミングが第１の実施の形態の応用形態と異なっているため、図１９に示すように、第１の実施の形態の画像処理（図７参照）のステップＳ１０４に対応する処理がステップＳ１２０とステップＳ１２２との間で行われる。
【０１３２】
本実施の形態の制御部３０は、、ステップＳ１００〜ステップＳ１１８までは、ステップＳ１０２の後にステップＳ１１０へ進む他は第１の実施の形態の応用形態と同様にして、目的Ａ画像の生成を完了すると共に、引継項目の設定を行う。
【０１３３】
本実施の形態の制御部３０では、ステップＳ１１８の次のステップＳ１２０では、原画像に対して引継処理となる処理操作Ｃを反映させて、目的Ｂ第１画像を生成する。
【０１３４】
次のステップＳ１２１は、第１の実施の形態の応用形態のステップＳ１０４に対応している。ステップＳ１２１では、制御部３０は、目的Ｂ第１画像に対して画像解析処理Ｂを行って、目的Ｂ第２画像を生成する。
【０１３５】
以降のステップＳ１２２〜ステップＳ１４０の各処理は、第１の実施の形態の応用形態と同様である。制御部３０は、引継項目の確認を行った後、ユーザの処理操作Ｂに応じた画像処理を施すことにより、目的Ｂ画像を生成した後、本画像処理を終了する。
【０１３６】
なお、画像解析処理Ｂ（ステップＳ１２１）を行うタイミングは本実施の形態に限らず、ステップＳ１３０の前に行ってもよい。また、本実施の形態の画像処理では、画像解析処理Ｂを施した後に、処理操作Ｂに応じた画像処理を施しているが、順番を逆にして、処理操作Ｂに応じた画像処理を施した後、画像解析処理Ｂを施してもよい。
【０１３７】
［第４の実施の形態］
本実施の形態の放射線画像撮影システム１０、コンソール２０、及びＰＡＣＳ２２は、上記各実施の形態の放射線画像撮影システム１０、コンソール２０、及びＰＡＣＳ２２と略同様の構成及び動作であるため、同一部分については、詳細な説明を省略する。
【０１３８】
放射線画像撮影システム１０、コンソール２０、及びＰＡＣＳ２２の構成は、第１の実施の形態と同一であるため、本実施の形態では説明を省略する。
【０１３９】
本実施の形態のコンソール２０では、処理操作Ｂ（画像処理Ｂ）と画像解析処理Ｂとのタイミングが、第１の実施の形態の応用形態と入れ替わっている。
【０１４０】
図２０には、本実施の形態のコンソール２０の制御部３０における画像処理（処理操作）の流れの一例を示す。なお、本実施の形態においても説明の便宜上、ユーザが目的Ａのための画像（目的Ａ第１画像）に対して行った処理操作を目的Ｂのための画像に対して引き継ぐ場合について説明する。
【０１４１】
本実施の形態では、図２０に示すように、目的Ａ画像を生成するための画像処理（処理操作）は、第１の実施の形態の応用形態と同様（図７参照）である。一方、目的Ｂ画像を生成するための画像処理（処理操作）では、原画像に対してユーザにより処理操作Ｂが行われて目的Ｂ第１画像が生成される。制御部３０が引き継がれた処理操作である処理操作Ｃを目的Ｂ第１画像に反映させて目的Ｂ第２画像を生成する。さらに制御部３０は、目的Ｂ第２画像に画像解析処理Ｂを施し、目的Ｂ画像を生成する。
【０１４２】
図２１には、本実施の形態のコンソール２０の制御部３０によって実行される画像処理の一例のフローチャートを示す。本実施の形態の画像処理は、画像解析処理Ｂ及び処理操作Ｂのタイミングが第１の実施の形態の応用形態と入れ替わっているため、図２１に示すように、第１の実施の形態の画像処理（図７参照）のステップＳ１２０〜ステップＳ１２８に対応する処理がステップＳ１３６とステップＳ１３８との間で行われる。また、ステップＳ１０４に対応する処理がステップＳ１３８の前に行われる。
【０１４３】
また、本実施の形態の画像処理は、上記第３の実施の形態と同様に予め目的Ａのための画像（目的Ａ第１画像）に対して引継処理となる処理操作を含む処理操作を行うことが定められている。そのため、図２０に示すように、第１の実施の形態の応用形態に係る画像処理（図７参照）のステップＳ１０６及びステップＳ１０８の処理が設けられていない。
【０１４４】
本実施の形態の制御部３０は、ステップＳ１００〜ステップＳ１１８までは、ステップＳ１０２の後にステップＳ１１０へ進む他は第１の実施の形態の応用形態と同様にして、目的Ａ画像の生成を完了すると共に、引継項目の設定を行う。
【０１４５】
本実施の形態の制御部３０では、ステップＳ１１８の次は、ステップＳ１３０へ進む。本実施の形態の制御部３０は、ステップＳ１３０〜ステップＳ１３６までは、第１の実施の形態の応用形態と同様にして、ユーザの処理操作Ｂに応じた画像処理Ｂを施して目的Ｂ第２画像の生成を行う。
【０１４６】
次のステップＳ１３７−１〜ステップＳ１３７−５の各処理は、それぞれ、上記第２の実施の形態の画像処理のステップＳ１３７−１〜ステップＳ１３７−５の各処理と同様である。
【０１４７】
制御部３０は、処理操作Ｂに応じた画像処理Ｂが施された画像に対して引継処理となる処理操作Ｃを反映させて、目的Ｂ第２画像を生成し、目的Ｂ第２画像と共に引継項目をディスプレイ３４に表示させる。さらに、制御部３０は、引継項目の変更が有るか否か判断して、引継項目の変更が無い場合は、ステップＳ１３７−６へ進み、引継項目の変更が有った場合は、変更に応じた画像を生成して、ステップＳ１３７−６へ進む。
【０１４８】
ステップＳ１３７−６は、第１の実施の形態の応用形態のステップＳ１０４に対応している。ステップＳ１３７−６では、制御部３０は、目的Ｂ第２画像に対して画像解析処理Ｂを行って、目的Ｂ画像を生成する。
【０１４９】
次のステップＳ１３８及びステップＳ１４０は、第１の実施の形態の応用形態と同様である。ステップＳ１３８では、制御部３０は、目的Ｂ画像をディスプレイ３４に表示させてユーザに目的Ｂ画像を確認させる。ステップＳ１４０では、制御部３０は、目的Ｂ画像の画像情報と、目的Ｂ画像の生成のために施した画像処理（画像解析処理を含む）の内容とを対応付けて制御部３０内の記憶部に記憶させた後、本画像処理を終了する。
【０１５０】
［第５の実施の形態］
本実施の形態の放射線画像撮影システム１０、コンソール２０、及びＰＡＣＳ２２は、上記各実施の形態の放射線画像撮影システム１０、コンソール２０、及びＰＡＣＳ２２と略同様の構成及び動作であるため、同一部分については、詳細な説明を省略する。
【０１５１】
放射線画像撮影システム１０、コンソール２０、及びＰＡＣＳ２２の構成は、第１の実施の形態と同一であるため、本実施の形態では説明を省略する。
【０１５２】
本実施の形態のコンソール２０の制御部３０では、画像解析処理Ｂと処理操作Ｂ（画像処理Ｂ）とのタイミングが、第４の実施の形態と入れ替わっている。
【０１５３】
図２２には、本実施の形態のコンソール２０の制御部３０における画像処理（処理操作）の流れの一例を示す。なお、本実施の形態においても説明の便宜上、ユーザが目的Ａのための画像（目的Ａ第１画像）に対して行った処理操作を目的Ｂのための画像に対して引き継ぐ場合について説明する。
【０１５４】
本実施の形態では、図２２に示すように、目的Ａ画像を生成するための画像処理（処理操作）は、第４の実施の形態と同様（図２０参照）である。一方、目的Ｂ画像を生成するための画像処理（処理操作）では、原画像に対してユーザにより処理操作Ｂが行われて目的Ｂ第１画像が生成される。その後、制御部３０は、目的Ｂ第１画像に画像解析処理Ｂを施し、目的Ｂ第２画像を生成する。さらに、制御部３０が、引き継がれた処理操作である処理操作Ｃを目的Ｂ第２画像に反映させて目的Ｂ画像を生成する。
【０１５５】
図２３には、本実施の形態のコンソール２０の制御部３０によって実行される画像処理の一例のフローチャートを示す。本実施の形態の画像処理は、画像解析処理Ｂ及び処理操作Ｃのタイミングが第４の実施の形態と入れ替わっているため、図２３に示すように、第４の実施の形態の画像処理（図２１参照）のステップＳ１３７−６に対応する処理がステップＳ１３７−１の前に行われる。
【０１５６】
本実施の形態の制御部３０は、ステップＳ１００〜ステップＳ１３６まで、第４の実施の形態と同様にして、目的Ａ画像の生成を完了すると共に、引継項目の設定を行い、さらに処理操作Ｂに応じた画像処理を施して目的Ｂ第１画像素生成する。
【０１５７】
本実施の形態の制御部３０では、ステップＳ１３６の次は、ステップＳ１３７−０へ進む。ステップＳ１３７−０では、制御部３０は、目的Ｂ第１画像に対して画像解析処理Ｂを行って、目的Ｂ第２画像を生成する。
【０１５８】
次のステップＳ１３７−１〜ステップＳ１３７−５の各処理は、それぞれ、上記第４の実施の形態の画像処理のステップＳ１３７−１〜ステップＳ１３７−５の各処理と同様である。
【０１５９】
制御部３０は、目的Ｂ第２画像に対して引継処理となる処理操作Ｃを反映させて、目的Ｂ画像を生成し、目的Ｂ画像と共に引継項目をディスプレイ３４に表示させる。さらに、制御部３０は、引継項目の変更が有るか否か判断して、引継項目の変更が無い場合は、ステップＳ１３８へ進み、引継項目の変更が有った場合は、変更に応じた画像を生成して、ステップＳ１３８へ進む。
【０１６０】
次のステップＳ１３８及びステップＳ１４０も、第４の実施の形態と同様である。ステップＳ１３８では、制御部３０は、目的Ｂ画像をディスプレイ３４に表示させてユーザに目的Ｂ画像を確認させる。ステップＳ１４０では、制御部３０は、目的Ｂ画像の画像情報と、目的Ｂ画像の生成のために施した画像処理（画像解析処理を含む）の内容とを対応付けて制御部３０内の記憶部に記憶させた後、本画像処理を終了する。
【０１６１】
以上説明したように、本発明の基本形態では、コンソール２０の制御部３０は、原画像にユーザの処理操作に応じた画像処理を行い、一方の目的画像（上記具体例では、目的Ａ画像）を生成する。そして、制御部３０は、一方の目的画像を生成するための処理操作を他方の目的画像（上記具体例では、目的Ｂ画像）を生成するための処理操作として引継ぎ、引き継いだ処理操作を反映させて画像処理を行う。さらに、制御部３０は、他方の目的画像を生成するためにユーザが行った処理操作に応じた画像処理を行い他方の目的画像を生成する。
【０１６２】
また、以上説明したように、上記各実施の形態のコンソール２０の制御部３０では、放射線画像撮影装置１２から取得した放射線画像の原画像を取得する。制御部３０は、予め定められた画像解析処理Ａを施して目的Ａのための画像を生成すると共に、画像解析処理Ｂを施して目的Ａとは目的が異なる目的Ｂのための画像を生成する。制御部３０は、目的Ａのための画像に対してユーザが行った処理操作を検出し、処理操作に応じた画像処理を施すことにより、目的Ａのための画像を生成すると共に、予め定められた引継条件の定義に該当する処理操作を引継処理として設定する。制御部３０は、引継処理を目的Ｂのための画像に反映させる。さらに制御部３０は、目的Ｂのための画像に対してユーザが行った処理操作を検出し処理操作に応じた画像処理を施すことにより、目的Ｂのための画像を生成する。
【０１６３】
上記各実施の形態のコンソール２０の制御部３０では、１つの原画像から目的が異なる複数の画像を生成するため、被検体１８の被曝量の低減、拘束時間の低減を図ることができる。また、上記各実施の形態によれば、放射線照射装置１６の放射線照射源となる管球の劣化の抑制や放射線技師の撮影作業の低減を図ることができる。
【０１６４】
また、上記各実施の形態のコンソール２０の制御部３０では、一方の目的のための画像に対してユーザが行った処理操作を他の目的のための画像に対して引き継ぐことができるため、１画像ずつ処理操作を行う手間を削減することができ、ユーザの処理操作の負荷を軽減することができる。上記各実施の形態によれば、同じ処理操作を引き継ぐため、両方の目的の画像に対して同様に施したい処理操作については、微調整を要しなくなるため、処理操作の負荷が軽減される。
【０１６５】
また、本実施の形態のコンソール２０の制御部３０では、手間が掛かる処理操作を自動的に判別して引継処理に設定するため、ユーザの処理負荷が低減される。
【０１６６】
また、本実施の形態のコンソール２０の制御部３０では、引継項目の一覧を表示し、ユーザにより引継項目の設定が行えるため、ユーザの希望する処理操作のみを引継処理とすることができる。従って、上記各実施の形態によれば、ユーザが望まない処理操作を引継処理としてしまうことを抑制し、処理操作のやり直しの発生が抑制される。
【０１６７】
また、上記各実施の形態のコンソール２０の制御部３０では、処理操作の種類を定義し、種類毎に引継処理として設定することができるため、ユーザが処理操作の設定を行う際、処理操作の選択を容易に行える。また、コンソール２０の制御部３０の画像処理の負荷が低減される。
【０１６８】
なお、上記各実施の形態では、一方の目的用の画像（目的Ａ画像）を生成した後に、他方の目的用の画像(目的Ｂ画像）を生成する場合について説明したが限定されない。
【０１６９】
例えば、制御部３０は、一方の画像を生成（処理操作）中に、ユーザの指示等に応じて他方の画像に切り換えて、切り換えた他方の画像に対して処理操作を行うようにしてもよく、両方の画像の表示及び処理操作を相互に切り換えて行えるようにしてもよい。この場合、制御部３０は、予め定められた引継処理、またはユーザから引継処理として指示された処理操作を一方の画像に行った場合、他方の画像に対して反映させるようにすればよい。なお、このように両方の画像を相互に切り換えて表示及び処理操作を行う場合は、両方の画像に対応付けて各画像に対する画像処理を記憶させておいてもよいし、原画像と各画像に対する画像処理とを対応付けて記憶させておいてもよい。
【０１７０】
また例えば、制御部３０は、両方の画像を同時に表示させ、予め定められた引継処理、またはユーザから引継処理として指示された処理操作をいずれかの画像に行った場合、他の画像に対して反映させて表示させてもよい。
【０１７１】
なお、上記各実施の形態では、コンソール２０の制御部３０が画像処理を行う場合について説明したが、その他の装置で全部の画像処理、または一部の画像処理を行うようにしてもよい。例えば、ＰＡＣＳ２２の放射線画像処理装置５０により、画像処理を行うようにしてもよい。
【０１７２】
また、上記各実施の形態では、目的Ａ画像の画像情報と目的Ａ画像の生成のために施した画像処理（画像解析処理を含む）の内容とを対応付けて記憶させると共に、目的Ｂ画像の画像情報と目的Ｂ画像の生成のために施した画像処理（画像解析処理を含む）の内容とを対応付けて記憶させている。これらに加えて、さらに、原画像と対応付けて記憶させておもよい。また、目的Ａ画像の画像情報及び目的Ｂ画像の画像情報は記憶させず、原画像と目的Ａ画像の生成のために施した画像処理（画像解析処理を含む）及び目的Ｂ画像の生成のために施した画像処理（画像解析処理を含む）とを対応付けて記憶させるようにしてもよい。
【０１７３】
また、上記各実施の形態では、予め画像処理プログラムが制御部３０に記憶されている場合について説明したが、ＣＤ−ＲＯＭ（Compact Disk ReadOnly Memory）やＵＳＢ（Universal Serial Bus）メモリ等の記録媒体や、外部装置等から取得して、記憶させてもよい。
【０１７４】
また、上記各実施の形態では、目的が異なる複数の画像として２種類の画像を生成する場合について説明したが、３種類以上の画像を生成してもよい。
【０１７５】
また、本実施の形態では、本発明の放射線は、特に限定されず、Ｘ線やγ線等を適用することができる。
【０１７６】
また、上記各実施の形態で説明した放射線画像撮影システム１０、コンソール２０、及びＰＡＣＳ２２等の構成、動作等は一例であり、本発明の主旨を逸脱しない範囲内において状況に応じて変更可能であることは言うまでもない。
【符号の説明】
【０１７７】
１０  放射線画像撮影システム
２０  コンソール
２２  ＰＡＣＳ
３０  制御部
３４、５８  ディスプレイ
３８、５６  操作パネル
５０  放射線画像処理装置
５２  放射線画像読影装置
５４、６４  記憶部
【図１】
0006033267.tif 000002
【図２】
0006033267.tif 000003
【図３】
0006033267.tif 000004
【図４】
0006033267.tif 000005
【図５】
0006033267.tif 000006
【図６】
0006033267.tif 000007
【図７】
0006033267.tif 000008
【図８】
0006033267.tif 000009
【図９】
0006033267.tif 000010
【図１０】
0006033267.tif 000011
【図１１】
0006033267.tif 000012
【図１２】
0006033267.tif 000013
【図１３】
0006033267.tif 000014
【図１４】
0006033267.tif 000015
【図１５】
0006033267.tif 000016
【図１６】
0006033267.tif 000017
【図１７】
0006033267.tif 000018
【図１８】
0006033267.tif 000019
【図１９】
0006033267.tif 000020
【図２０】
0006033267.tif 000021
【図２１】
0006033267.tif 000022
【図２２】
0006033267.tif 000023
【図２３】
0006033267.tif 000024